(57)【要約】      （修正有）【課題】場所をとらず、取付けに便利で外観のよいジェットバス装置を提供する。【解決手段】気冷式或いは水冷式空気ポンプ前端が、復流パイプ２０で浴槽に接続され、且つ復流パイプ２０に電動式送気弁９０が設けられて空気ポンプ１０に浴槽内の水を抽送させる時、電動式送気弁９０の送気により超微粒気体混合液を形成し、空気ポンプ１０中の湾曲チャネルを通し、直管３０および曲げ管４０で排気弁５０と平衡弁８０を介して出水管６０に接続し、出水口８１で浴槽に連通させ、浴槽にジェットバスに必要な微粒気体混合液を提供する。全体装置に圧力タンク或いはベンチュリー管が設置されていないため、体積を縮限でき、気液混合時に発生する高い圧力差による振動と騒音を減らせ、また、空気ポンプの湾曲チャネルに必要に応じて直管又は曲げ管を組み合わせて、全体の取付け、調整及び浴槽との接続が行なえ、壁掛け、直立、横置き及び移動式の設置が可能である。【選択図】図２
0003146980.tif 000002
【実用新案登録請求の範囲】
【請求項１】
ジェットバス装置において、空気ポンプ、復流パイプ、直管、曲げ管、排気弁、平衡弁及び出水管が組み合わされてなり、該空気ポンプが内部に湾曲チャネルを有する気冷式或いは水冷式放熱高圧水ポンプとされ、その前端が復流パイプで浴槽に接続され、且つ復流パイプに電動式送気弁が設けられて空気ポンプに浴槽内の水を抽送させる時、電動式送気弁の送気により超微粒気体混合液を形成し、空気ポンプ中の湾曲チャネルを通し、直管および曲げ管で排気弁と平衡弁を介して出水管に接続し、出水口で浴槽に連通させることを特徴とする、ジェットバス装置。
【考案の詳細な説明】
【技術分野】
【０００１】
本考案は一種のジェットバス装置に関する。
【背景技術】
【０００２】
周知の温浴ジェットバス装置は、空気の気泡を粒子化して水中に溶かし、更に浴槽中に放出する。気泡は微粒子化されて極めて細小であり、人体の毛細孔中に進入し、刺激と皮膚洗浄の作用を達成する。周知の装置は図１に示されるように、超高圧ポンプ１、空気圧縮機２、排気弁４を具えた圧力タンク３及び減圧弁５を具え、超高圧ポンプ１で加圧し、浴槽７の復水口６より浴槽内の水を空気圧縮機２が圧縮した高圧空気と共に、圧力タンク３に送り、空気を過飽和状態で水中に溶かした微粒気液混合体を形成し、この気液混合体を減圧弁５を通して浴槽７の入水口８より注入し、常圧下で、過飽和状態で溶解した微粒空気に、微細気泡を形成させて浴槽７中に放出する。必要時には、圧力タンク３と浴槽７の入水口８の間に超微細気泡発生装置を増設し、浴槽７の気泡粒子を更に細小とする。このようなジェットバス装置は、超高圧ポンプ１と空気圧縮機２起動後に、高圧抽出空気と水を混合し、電圧、機器等の不安定な因子により、両者の混合圧力が不安定となり、振動や騒音を発生し、室内に設置する上で大きな問題となる。また、空気圧縮機２と圧力タンク３の体積が大きく且つ形態が固定されていて大きく制限され、取付け時の調整と接続に不便であり、設計と設置上、外観と空間利用上の問題を発生し、ゆえに周知のジェットバス装置は改良の必要があった。
【考案の開示】
【考案が解決しようとする課題】
【０００３】
本考案は、場所をとらず、取付け及び調整及び浴槽との接続に便利で外観がよく、壁掛け、直立、横置き及び移動式の設置が可能であり、圧力タンク或いはベンチュリー管を使用する必要がなく、そのため体積を縮限でき、気液混合時に発生する高い圧力差による振動と騒音を減らせ、また、体積が大きく、形態が固定されていることによる制限を受けず、各種形態で取付けられて空間を有効に利用できるジェットバス装置を提供することを目的とする。
【課題を解決するための手段】
【０００４】
請求項１の考案は、ジェットバス装置において、空気ポンプ、復流パイプ、直管、曲げ管、排気弁、平衡弁及び出水管が組み合わされてなり、該空気ポンプが内部に湾曲チャネルを有する気冷式或いは水冷式放熱高圧水ポンプとされ、その前端が復流パイプで浴槽に接続され、且つ復流パイプに電動式送気弁が設けられて空気ポンプに浴槽内の水を抽送させる時、電動式送気弁の送気により超微粒気体混合液を形成し、空気ポンプ中の湾曲チャネルを通し、直管および曲げ管で排気弁と平衡弁を介して出水管に接続し、出水口で浴槽に連通させることを特徴とする、ジェットバス装置としている。
【考案の効果】
【０００５】
本考案は、場所をとらず、取付け及び調整及び浴槽との接続に便利で外観がよく、壁掛け、直立、横置き及び移動式の設置が可能なジェットバス装置を提供しており、圧力タンク或いはベンチュリー管を使用する必要がなく、そのため体積を縮限でき、気液混合時に発生する高い圧力差による振動と騒音を減らせ、また、体積が大きく、形態が固定されていることによる制限を受けず、各種形態で取付けられて空間を有効に利用できる。
【考案を実施するための最良の形態】
【０００６】
図２も参照されたい。本考案は空気ポンプ１０、復流パイプ２０、直管３０、曲げ管４０、排気弁５０、平衡弁８０及び出水管６０を組み合わせてなる。そのうち、空気ポンプ１０は、内側に湾曲チャネルを具えた気冷式或いは水冷式放熱高圧水ポンプであり、前端は復流パイプ２０で図１に示される浴槽７の復水口６に接続され、且つ復流パイプ２０に電動式の送気弁９０が設けられ、空気ポンプ１０が浴槽７内の水を吸い込む時、同時に電動式送気弁９０に送気させて超微粒気液混合を形成させ、空気ポンプ１０の湾曲チャネルの後端は直管３０及び曲げ管４０で排気弁５０に接続され、さらに管体で平衡弁８０を介して出水管６０に接続され、出水口８１で図１に示される浴槽７の入水口８に接続される。
【０００７】
実際の取付け使用時には、本考案の空気ポンプ１０は縦或いは横に設置でき、且つ空気ポンプ１０中のチャネルは湾曲配置されるため、両端に必要に応じて直管３０或いは曲げ管４０を組み合わせることができ、壁掛け、直立、横置き及び移動の構造体のいずれの設計であっても、必要に応じて調整、移動及び接続でき、全体の取付けに便利で、外観がよく、場所を節約できる。循環システムを構成する時は、使用時に、空気ポンプ１０は浴槽７内の水を吸い込み、復流パイプ２０中に電動式送気弁９０が設けられ、空気ポンプ１０が浴槽７内の水を吸い込む時に、電動式送気弁９０により送気し、空気を細かくして水中に溶かして過飽和の超微粒気液混合体を形成し、気冷式或いは水冷式空気ポンプ１０の湾曲チャネルを通し、直管３０と曲げ管４０が接続された管体より送出し、並びに排気弁５０を通り排出される管中にもともとある空気は、平衡弁８０が開かれる時、出水管６０より出水口８１を通り浴槽７中に注入され、微細気泡を浴槽７の水中に放出し、肌に対するマッサージと毛細孔内の汚れを除去する作用を形成する。全体装置は、圧力タンク或いはベンチュリー管が設置されていないため、体積を縮限でき、気液混合時に発生する高い圧力差による振動と騒音を減らせ、快適で静かな入浴環境を提供できる。
【図面の簡単な説明】
【０００８】
【図１】周知の技術の側面図である。
【図２】本考案の側面図である。
【符号の説明】
【０００９】
１  超高圧ポンプ          ２  空気圧縮機        ３  圧力タンク
４  排気弁                ５  減圧弁            ６  復水口
７  浴槽                  ８  入水口            １０  空気ポンプ
２０  復流パイプ        ３０  直管              ４０  曲げ管
５０  排気弁            ６０  出水管            ８０  平衡弁
８１  出水口            ９０  電動式送気弁
【図１】
0003146980.tif 000003
【図２】
0003146980.tif 000004